(57)【要約】【課題】観察に適した細胞を迅速かつ正確に判定し、あるいは特定することができる蛍光分析装置を提供することを目的とする。【解決手段】試料を保持する容器と、試料に励起光を照射する励起光学系と、励起光を照射された試料より発する蛍光を検出する蛍光検出器と、検出器に蛍光を導く検出光学系と、得られた蛍光信号を解析する解析器と、試料の蛍光像を撮影する撮影機と、撮影機に蛍光を導く観察光学系とを備えた蛍光分光分析装置であって、撮影機で撮影された試料の蛍光画像に基づいて、試料が蛍光検出及び蛍光信号解析に適しているかどうかを判定し、或いは蛍光検出及び蛍光信号解析に適している試料を特定する判定・特定装置を備える。【選択図】    図１
2004301729.tif 000002
【特許請求の範囲】
【請求項１】
試料を保持する容器と、試料に励起光を照射する励起光学系と、該励起光を照射された試料より発する蛍光を検出する蛍光検出器と、該検出器に蛍光を導く検出光学系と、得られた蛍光信号を解析する解析器と、該試料の像を撮影する撮影機と、該撮影機に像を導く観察光学系とを備えた蛍光分光分析装置であって、
前記撮影機で撮影された前記試料の画像に基づいて、該試料が蛍光検出及び蛍光信号解析に適しているかどうかを判定し、或いは蛍光検出及び蛍光信号解析に適している該試料を特定する判定・特定装置を備えたことを特徴とする蛍光分光分析装置。
【請求項２】
前記判定・特定装置は、前記試料に対する蛍光染色の濃淡を表わす特徴量に基づいて前記判定或いは前記特定を行うことを特徴とする請求項１記載の蛍光分光分析装置。
【請求項３】
前記判定・特定装置は、前記試料に含まれる細胞内分子の染色の濃淡、細胞内組織の配置、形状を表わす特徴量に基づいて前記判定或いは前記特定を行うことを特徴とする請求項１記載の蛍光分光分析装置。
【請求項４】
前記判定・特定装置は、前記特徴量に基づいて前記試料の適否を判定し或いは特定する論理の信頼性を学習により向上させる学習手段を更に有することを特徴とする請求項２又は３に記載の蛍光分光分析装置。
【請求項５】
前記判定・特定装置は、前記特徴量から、前記判定或いは前記特定に適した少なくとも１つの新たな特徴量を抽出する特徴量選定手段と、前記新たな特徴量を前記判定或いは前記特定を行うための前記特徴量として前記判定或いは前記特定を実行させる制御手段とを備えたことを特徴とする請求項２乃至４の内いずれか１に記載の蛍光分析装置。
【請求項６】
前記特徴量選定手段は、前記特徴量から、前記判定或いは前記特定に適した少なくとも１つの新たな特徴量を抽出する論理の信頼性を学習により向上させる特徴量学習手段を更に有することを特徴とする請求項５に記載の蛍光分光分析装置。
【請求項７】
前記試料を保持する複数の容器を有し、前記容器の位置を順次観測位置に移動することにより、前記試料の蛍光検出及び蛍光信号解析を行うことを特徴とする請求項１乃至６の内いずれか１に記載の蛍光分析装置。
【請求項８】
前記励起光学系と前記検出光学系の共通光路内に設けられ、前記試料中に集光される蛍光測定空間を移動させる光線偏向手段を備えたことを特徴とする請求項１乃至７の内いずれか１に記載の蛍光分析装置。
【請求項９】
複数の前記励起光源と複数の前記蛍光検出器により複数の蛍光測定空間を有することを特徴とする請求項１乃至８の内いずれか１に記載の蛍光分析装置。
【発明の詳細な説明】
【０００１】
【発明の属する技術分野】
本発明は、蛍光分光分析装置に関し、特に複数点の蛍光統計分布解析を行う蛍光分光分析装置に関する。
【０００２】
【従来の技術】
ＤＮＡ塩基配列の解析、ＳＮＰｓ（一塩基多型）解析、蛋白質相互作用の解析など、ゲノム関連解析に蛍光種の統計分布解析の技術を用いた方法が用いられている。統計分布解析には、蛍光相関分光分析法、蛍光強度分布解析法などが知られている。
【０００３】
蛍光相関分光分析法は蛍光強度の揺らぎを解析し、分子毎の拡散時間や平均分子数を求める手法である（例えば、非特許文献１参照）。
【０００４】
また、蛍光強度分布解析法は、蛍光揺らぎデータから観測領域内の分子毎の光子計数（明るさ）や平均分子数を求める手法である（例えば、非特許文献２、３参照）。
【０００５】
その他、蛍光寿命解析法は、蛍光の減衰時間を解析することにより、分子毎の蛍光寿命や平均の分子数を求める手法である（例えば、非特許文献１参照）。
【０００６】
従来、このような解析は、溶液中で行われていたが、バイオ技術の進展に伴って、細胞内において同様の解析を行うことが求められてきている。図６は、従来の蛍光分光分析装置の構成を示す図である。この装置は、顕微鏡にレーザを導入しそのレーザ光によって励起された溶液中の蛍光分子から発生する蛍光を測定し統計分布解析を行うものである。
【０００７】
光学顕微鏡の上部に蛍光色素励起用のレーザ光源７０を設けてレーザ光を入射する。レーザ光は対物レンズ７１によって集光され試料容器７２中に観測領域を作り出す。試料容器７２中には、観察する蛍光標識された被観察分子（あるいは小胞などの被観察物質）の溶液が入れられている。観測領域中に存在する試料の蛍光標識から発生した蛍光は再び対物レンズ７１を通過してビームスプリッタ７３により検出器７４へと導かれる。検出器７４の前には集光レンズ７５とピンホール７６が設けられており、コンフォーカル検出を行う。
【０００８】
この構成により非常に小さな観測領域のみからの蛍光を検出することができる。検出器７４で得られた蛍光信号は解析装置７７で解析され、例えば蛋白質の相互作用の測定など、所望の測定が行われる。
【０００９】
細胞に対して統計分布解析を行うためには、この蛍光分光分析の手法を溶液の替わりに細胞に適用することが考えられる。即ち、この装置で試料容器７２に替えてシャーレ等を用い、細胞を光学顕微鏡で観察して測定部位を特定する。そして、図示していないステージ移動機構によりシャーレを移動することで、特定した測定部位をレーザによる観測領域に移動させて観測する。
【００１０】
従来技術をこのようにして適用すれば、統計分布解析の技術を細胞内の測定に応用することができる。しかしながら、従来技術を適用した場合は、測定点が１個所であるため十分な観測ができない。そこで、この問題を解決するため、複数のレーザビームを形成して複数点の蛍光統計分布解析を行う方法が提案されている（例えば、非特許文献４参照）。
【００１１】
【非特許文献１】
Ｃｈ．  Ｚａｎｄｅｒ，  Ｊ．  Ｅｎｄｅｒｌｅｉｎｇ，  Ｒ．  Ａ．  ｋｅＩｌｅｒ（ｅｄｓ．），  Ｓｉｎｇｌｅ  ｍｏｌｅｃｕｌｅ  Ｄｅｔｅｃｔｉｏｎ  ｉｎ  Ｓｏｌｕｔｉｏｎ，  ６９Ｐ．及び  ５９ｐ．（ＷＩＬＥＹ−ＶＣＨ  Ｖｅｒｌａｇ  Ｂｅｒｌｉｎ，  ２００２）
【００１２】
【非特許文献２】
Ｙａｎ  Ｃｈａｎ  ｅｔ．ａｌ．，  Ｔｈｅ  Ｐｈｏｔｏｎ  Ｃｏｕｎｔｉｎｇ  Ｈｉｓｔｏｇｒａｍ  ｉｎ  Ｆｌｕｏｒｅｓｃｅｎｃｅ  Ｆｌｕｃｔｕａｔｉｏｎ  Ｓｐｅｃｔｒｏｓｃｏｐｙ，  Ｂｉｏｐｈｙｓｉｃａｌ  Ｊｏｕｒｎａｌ  Ｖｏｌ．１７７  Ｊｕｌｙ  １９９９  ５５３−５６７．
【００１３】
【非特許文献３】
Ｈｏｎｇ  Ｑｉａｎ  ａｎｄ  Ｅｌｌｉｏｔ  Ｌ．  Ｅｌｓｏｎ，  Ｄｉｓｔｒｉｂｕｔｉｏｎ  ｏｆ  ｍｏｌｅｃｕｌａｒ  ａｇｇｒｅｇａｔｉｏｎ  ｂｙ  ａｎａｌｙｓｉｓ  ｏｆ  ｆｌｕｃｔｕａｔｉｏｎ  ｍｏｍｅｎｔｓ，  Ｐｒｏｃ．  Ｎａｔｌ．  Ａｃａｄ．  Ｓｃｉ，  ＵＳＡ，  Ｖｏｌ．８７，  ｐｐ．５４７９−５４８３，  Ｊｕｌｙ  １９９０．
【００１４】
【非特許文献４】
Ａｐｐｌｉｅｄ  Ｏｐｔｉｃｓ，  ｖｏｌ．４１，  Ｎｏ．１６，  ｐｐ３３３６−３３４２（２００２）．
【００１５】
【発明が解決しようとする課題】
ところで、細胞を観察する場合は、従来の溶液中観察と異なり、観察可能な細胞を選別することが必要になる。即ち、蛍光染色の濃淡による蛍光信号の信頼性が有るか否かの判定、細胞の形状が正常か否かの判定、内部組織の形状・大きさが正常か否かの判定等が必要である。
【００１６】
この細胞の良否判定作業は、上述の細胞の観測結果から、熟練者が経験と勘に基づいて決定していた。従って、一分子蛍光統計分布解析の手法がその細胞に対して適用可能か否かも、細胞の観測結果に基づいて判断することになる。
【００１７】
また、使用者が特定の細胞（例えば、特定の形状を持つ細胞、或いは特定の異常を発現する細胞など）を観察しようとする場合、観察対象となる細胞を容易に特定できれば便利である。しかし、被観察細胞の特定には、熟練度による個人差が大きいため、長時間を要していた。
【００１８】
このため、ルーチン作業として大量の細胞を観察・計測して、細胞の良否判定、あるいは細胞の特定を行う際には、その判定・特定作業が効率的に実施できることが求められている。具体的には、細胞内の蛋白質相互作用、輸送問題、遺伝子発現問題などを一分子蛍光統計分布解析によって解明するために、その観察に適した細胞を迅速かつ正確に判定し、あるいは特定することが求められている。
【００１９】
本発明は、係る事情に鑑みてなされたものであって、観察に適した細胞を迅速かつ正確に判定し、あるいは特定することができる蛍光分析装置を提供することを目的とする。
【００２０】
【課題を解決するための手段】
上記課題を解決するための、本発明の第１の局面の蛍光分光分析装置は、試料を保持する容器と、試料に励起光を照射する励起光学系と、励起光を照射された試料より発する蛍光を検出する蛍光検出器と、検出器に蛍光を導く検出光学系と、得られた蛍光信号を解析する解析器と、試料の像を撮影する撮影機と、撮影機に像を導く観察光学系とを備えた蛍光分光分析装置であって、前記撮影機で撮影された前記試料の画像に基づいて、該試料が蛍光検出及び蛍光信号解析に適しているかどうかを判定し、或いは蛍光検出及び蛍光信号解析に適している該試料を特定する判定・特定装置を備える。
【００２１】
また本発明の他の局面の蛍光分光分析装置は、上記記載の蛍光分光分析装置であって、判定・特定装置は、試料に対する蛍光染色の濃淡を表わす特徴量に基づいて判定、或いは特定を行う。
【００２２】
また本発明の他の局面の蛍光分光分析装置は、上記記載の蛍光分光分析装置であって、判定・特定装置は、試料に含まれる細胞内分子の染色の濃淡、細胞内組織の配置、形状を表わす特徴量に基づいて判定、或いは特定を行う。
【００２３】
また本発明の他の局面の蛍光分光分析装置は、上記記載の蛍光分光分析装置であって、判定・特定装置は、特徴量から試料の適否を判定し或いは特定する論理の信頼性を学習により向上させる学習手段を更に有する。
【００２４】
また本発明の他の局面の蛍光分光分析装置は、上記記載の蛍光分光分析装置であって、判定・特定装置は、特徴量から、判定或いは特定に適した少なくとも１つの新たな特徴量を抽出する特徴量選定手段と、新たな特徴量を判定或いは特定を行うための特徴量として判定或いは特定を実行させる制御手段とを備える。
【００２５】
また本発明の他の局面の蛍光分光分析装置は、上記記載の蛍光分光分析装置であって、特徴量選定手段は、特徴量から、判定或いは特定に適した少なくとも１つの新たな特徴量を抽出する論理の信頼性を学習により向上させる特徴量学習手段を更に有する。
【００２６】
また本発明の他の局面の蛍光分光分析装置は、上記記載の蛍光分光分析装置であって、試料を保持する複数の容器を有し、容器の位置を順次観測位置に移動することにより、試料の蛍光検出及び蛍光信号解析を行う。
【００２７】
また本発明の他の局面の蛍光分光分析装置は、上記記載の蛍光分光分析装置であって、励起光学系と前記検出光学系の共通光路内に設けられ、試料中に集光される蛍光測定空間を移動させる光線偏向手段を備える。
【００２８】
また本発明の他の局面の蛍光分光分析装置は、上記記載の蛍光分光分析装置であって、複数の励起光源と複数の蛍光検出器により複数の蛍光測定空間を有する。
【００２９】
【発明の実施の形態】
［蛍光分光分析装置構成］
図１は、本発明に係る蛍光分光分析装置の第１の実施の形態を示す構成図である。
【００３０】
複数箇所の一分子蛍光分光測定による統計分布解析を行うため、本蛍光分光分析装置は複数のレーザ光源１を用いて構成されている。複数のレーザ光源１は光ファイバ２に接続され、その複数の光ファイバ２はその端面配列が結像レンズの結像面になるように設置される。すなわち、レンズの結像面にファイバ端が一次元或いは二次元に配置されそれが顕微鏡光学系によって試料内に縮小投影され複数の観測領域を作り出す。尚、この顕微鏡光学系が励起光学系に相当する。
【００３１】
ファイバ端を発した複数本のレーザビームは、検出光学系への分岐を行うビームスプリッタ３、結像レンズ４、眼視観察用の分岐ビームスプリッタ５を透過し、対物レンズ６により試料容器７中の試料内に縮小投影される。この様子は、眼視光学系によって試料の透過画像と重ねて観察できる。観察者はこの透過画像を観察しながら試料中の任意の位置に、観測領域を移動することができる。この観察は、カメラ８を通して表示装置９で行っても良い。また、移動は電動ステージ１０によって行うこともできる。
【００３２】
このように本実施の形態の蛍光分光分析装置は、所謂倒立型顕微鏡を構成しており、観察用光源１２とコンデンサ１３で照明された試料容器７中の被観察細胞等の試料を対物レンズ６で拡大して観察できる。そして、通常の生物観察用顕微鏡に備わっている位相差検鏡、微分干渉検鏡（ＤＩＣ）なども観察可能であり、眼視観察だけでなくカメラ８によって撮像し表示装置９上に表示も可能となっている。すなわち通常の顕微鏡の機能を備えている。
【００３３】
更に、本実施の形態の蛍光分析装置は、被観察細胞が観察に適しているか否かを自動で判定する判定装置３０を備えている。
【００３４】
本発明の被観察細胞の適・不適判定あるいは特定は、解析装置からの蛍光分布解析結果の良・不良の情報に基づいてカメラが捕らえた被観察細胞の蛍光像あるいは可視光観察像（透過像、位相差象、微分位相像（ＤＩＣ）など）の画像解析結果を適宜分類することにより行う。
【００３５】
判定装置３０はカメラ８が捕らえた被観察細胞の蛍光像或いは可視光観察像（透過像、位相差像、微分位相像（ＤＩＣ）など）に基づいて、被観察細胞が観察に適しているか否かを自動で判定する。一方、解析装置１０からは蛍光分布統計解析結果の良・不良の情報が判定装置３０に入力される。判定装置３０は、この解析結果と判定結果との対比を観察細胞毎に繰返して学習することで判定論理の最適化を図っている。この判定装置３０については、後で詳しく説明する。
【００３６】
次に、蛍光統計分布情報の取得について説明する。
【００３７】
図２は、検出光学系を示す図である。検出光学系１１は、ピンホール板１４と対応した複数の検出器１５で構成されており、共焦点（コンフォーカル）検出を行う。尚、本実施の形態では、複数の検出器１５を用いて構成したが、この形態に限定されず複数の検出素子を有する一つの検出器によって構成しても良い。
【００３８】
ピンホール板１４の各ピンホールの位置は、観測領域に一致するように調整されている。即ち、ピンホールの位置は複数のファイバ端面で構成される複数光源と共役な位置にある。このようにして得られた複数の蛍光強度信号は解析装置１６において、蛍光相関分光、蛍光強度分布解析などの統計分布解析処理が行われる。
【００３９】
このようにして、観測領域内の蛋白質反応の様子、特定の蛋白質濃度の測定、特定分子の検出などに関する情報を得ることができる。
【００４０】
図３は、試料容器中の細胞の観測領域の様子を示す図である。
試料容器７中の細胞２２の中に４つの観測領域２３ａ、２３ｂ、２３ｃ，２３ｄがある。上述のように、顕微鏡光学系による観察を行いながら任意の位置に観察領域２３ａ〜２３ｄを移動することができる。複数の観測領域２３ａ〜２３ｄにより同時に各点の統計分布解析情報を得ることができるため、例えば、観察領域Ａ２３ａと観測領域Ｂ２３ｂを比較することによって生化学反応の進行方向や速度などを分析することが可能となる。
【００４１】
一分子検出による統計分布解析を行うためには、観測領域当たり観測時間中に１個程度の分子が存在することが望ましい。また、統計分布データ解析には非常に多くの測定数が必要となるので、分子のブラウン運動によって移動する時間を短時間で観測できる条件が好ましい。
【００４２】
例えば、蛍光強度分布解析では、一観測時間４０μ秒程度が使用される。また、蛍光相関分光法でもほぼ同等の観測時間が用いられる。この時間内に１分子が存在する観測領域の大きさは約１μｍ立方程度である。従って、励起用のレーザビーム２４の径は０．５〜１μｍに集光する必要がある。通常励起に用いられる可視光の波長は０．５μｍ程度であり、集光用の対物レンズ６の開口数は１．０程度が必要となる。通常のシングルモードファイバは、開口数は約０．１であり、ガウシアンビーム形状を保って対物レンズ６に入射するには、系の倍率を５倍程度にする必要がある。また、開口数を一致させる場合は、系の光学系を１０倍にする必要がある。
【００４３】
［判定装置構成］
図４は、判定装置３０の構成と関連した信号の流れを示すブロック図である。
【００４４】
判定装置３０は、画像特徴抽出部３１、画像分類部３２及び記録・学習部３３で構成されている。画像特徴部３１は、カメラ８から送られる細胞画像を処理して特徴となるパラメータを抽出する。画像分類部３２は、このパラメータに基づいて細胞画像を分類する。判定・学習部３３は、分類結果に基づいて細胞の適・不適を自動で判定するとともに、解析装置１６からの良・不良結果情報等を取り入れて学習することにより判定論理を最適化する。
【００４５】
［動作］
次に、判定装置３０の動作について説明する。
【００４６】
カメラ８からは、被観察細胞の画像が入力される。画像としては、可視光（非蛍光）による透過像、位相差像、微分位相像（ＤＩＣ）、蛍光像などを用いることができる。
【００４７】
画像特徴抽出部３１は、入力された画像からその細胞の特徴量（パラメータ）を抽出する。抽出する特徴量としては、細胞内分子の染色の濃淡などの蛍光染色の濃淡情報、あるいは細胞の形状に関する情報がある。細胞の形状を特徴付ける量としては、細胞の大きさ・形状・色・色の濃度・輪郭の曲率、あるいは細胞内組織の配置・大きさ・形状・色・色の濃度・輪郭の曲率・数などがある。
【００４８】
さらに、これらの項目を種々の関数によって変換した値を特徴量としても良い。例えば、これらの項目をフーリエ変換より周波数空間の特徴量としても良い。このような変換を施すと、細胞の向きあるいは位置に依存しない特徴量を抽出できるので便利である。
【００４９】
画像分類部３２は、抽出された複数の特徴量に基づいて細胞の画像を分類する。
【００５０】
図５は、画像の分類を示す図である。図５では、「細胞の大きさ」と「細胞の形」の、二つのパラメータで画像を分類する。
【００５１】
そして、判定・学習部３３が、この分類結果に基づいて被観察細胞が、蛍光統計分布解析に適しているか不適であるかを判定する。本実施の形態では、判定・学習部３３は、被観察細胞の「大きさが中」で「形状が△」の場合、また被観察細胞の「大きさが小」で「形状が□」の場合は、適していると判断する。そして、この判断結果を使用者に提示する。
【００５２】
次に、判定・学習部３３の学習動作について説明する。
【００５３】
被観察細胞毎に画像特徴抽出部３１、画像分類部３２が上述の動作を行い、画細胞の大きさ、形状等を抽出し、画像を分類する。一方、この被観察細胞を統計蛍光分布解析で適切に解析できた（良）か、解析に失敗したか（不良）の解析結果が、解析装置１６から判定・学習部３３に入力される。
【００５４】
そこで、判定・学習部３３は、先の分類結果とその解析結果を対応づけ、例えば、その分類結果は「良」であると学習する。この分類と解析結果の対応とその学習とを繰り返して実行することで、判定・学習部３３は、判定論理を最適化する。
【００５５】
尚、解析結果は、解析装置１６から自動で入力するものに限られず、例えば、使用者が手動で任意の時点で入力するものであっても良い。また、使用者は、分布解析結果の良否でなく、その細胞が遺伝子発現異常などの観察対象となり得る細胞かどうかを特定するための判断結果を入力するものであっても良い。この場合は、上述の判断論理とは別の細胞特定のための判断論理の学習がなされる。
【００５６】
本実施の形態では、上述の学習を何度か繰り返すうちに、判定・学習部３３は、「大きさが中」で「形状が△（三角）」、及び「大きさは小」で「形状は□（四角）」であれば蛍光統計分布解析に適している（或いは特定できる）細胞であると学習する。
【００５７】
尚、本実施の形態の学習を実現する手法として、例えば、ニューラルネットワークを用いても良い。
【００５８】
図５は、高々二つのパラメータについての適用例を示しているが、実際には、より多くのパラメータが用いられる。この際、どのようなパラメータが判定に適しているか、すなわち適・不適の細胞を有効に判定できるパラメータを選択することが重要である。このために例えば、多変量解析、因子分析の手法を用いても良く、有効なパラメータを学習によって選択しても良い。そして、これらの手法を判定・学習部３３に組み込んで、適切なパラメータを自動で抽出し、その抽出されたパラメータに基づいて細胞の適・不適を判定しても良い。
【００５９】
［効果］
本実施の形態の学習機能により判定論理を最適化することができる。そして最適化された判定論理により被観察細胞の適・不適の判定、或いは見たい細胞の特定を容易にかつ自動で行うことができる。
【００６０】
そして本実施の形態では、上記目的の為に、試料に対する蛍光染色の濃淡を判定することにより解析に適した試料であるかを判定する、或いは、細胞内分子の染色の濃淡及び細胞内組織の配置・形状を判定することにより解析に適した試料（細胞）であるかを判定することが好ましい。比較対象としてサンプル画像を用いても良い。
【００６１】
更に本実施の形態では、蛍光測定及び解析に適した細胞の形状・大きさ、細胞内組織の位置・形状、染色濃度などの特徴量と蛍光分光解析の結果を解析の度に学習することにより、使用する毎に判定・特定性能を向上できる。
【００６２】
本実施の形態では、蛍光測定及び解析に適した細胞の形状・大きさ、細胞内組織の位置・形状、及び染色濃度などの特徴量と蛍光分光解析の結果を解析の度に学習することにより、判定の為に有効なパラメータを選定して信頼性を向上させる機能（学習機能）を有している。このため、従来の方法が頼っていた判定者の「勘」を学習機能により解析装置に導入し、判定者の個人差の除去、効率の向上に寄与する。
【００６３】
次に、本発明に係る蛍光分光分析装置の第２の実施の形態について説明する。
［蛍光分光分析装置構成］
第２の実施の形態の構成は、図１に示す第１の実施の形態と同様であるため、同一の符号を付しその詳細の説明は省略する。
【００６４】
［動作］
第２の実施の形態では、観察視野中に複数の細胞がある場合に、図１に示す電動ステージ１０を自動的に移動させる。そして、各細胞毎に適・不適の判定、あるいは見たい細胞の特定を順次行う。
【００６５】
また、試料を保持する複数の容器を有し、順次容器の位置を移動することにより、連続して蛍光検出及び解析を行うように構成しても良い。
【００６６】
［効果］
第２の実施の形態によれば、必要な蛍光統計分布解析を自動的に行うことができるため作業効率を向上することができる。
【００６７】
次に、本発明に係る蛍光分光分析装置の第３の実施の形態について説明する。
［蛍光分光分析装置構成］
第３の実施の形態の構成は、図１に示す第１の実施の形態と同様であるため、同一の符号を付しその詳細の説明は省略する。
【００６８】
第３の実施の形態では、観察視野中に複数の細胞がある場合に、観察点の移動は図示しない光路中のレーザ光偏向手段によって行う。すなわち、励起光源と試料に至る光学系（励起光学系）と試料から蛍光検出器に至る光学系（検出光学系）の共通光路内に光線偏向手段を設けることより試料中に集光される蛍光測定空間を移動させることができる。
【００６９】
［効果］
励起光源と試料に至る光学系（励起光学系）と試料から蛍光検出器に至る光学系（検出光学系）の共通光路内に設けられた光線偏向手段により試料中に集光される蛍光測定空間を移動する機能を有することにより、細胞の任意の位置に迅速に観察領域を移動できる。
【００７０】
また、複数の励起光源と複数の蛍光検出器により複数の蛍光測定空間を有することにより、選択した被観察細胞内の複数の観測点を同時（時間差が問題とならず）に測定できるようになり、輸送問題、遺伝子発現分布の時間変化など種々の解析が可能となる。
【００７１】
尚、上記実施形態には種々の段階の発明が含まれているため、開示される複数の構成要件における適宜な組み合わせにより種々の発明を抽出することができる。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００７２】
【発明の効果】
以上説明したように、本発明の蛍光分光分析装置によれば、観察に適した細胞を迅速かつ正確に判定し、あるいは特定することができる。
【図面の簡単な説明】
【図１】本発明に係る蛍光分光分析装置の第１の実施の形態を示す構成図。
【図２】検出光学系を示す図。
【図３】試料容器中の細胞の観測領域の様子を示す図。
【図４】判定装置の構成と関連した信号の流れを示すブロック図。
【図５】画像の分類を示す図。
【図６】従来の蛍光分光分析装置の構成を示す図。
【符号の説明】
１…レーザ光源、２…ファイバ、３…ビームスプリッタ、４…結像レンズ、６…対物レンズ、９…表示装置、１０…電動ステージ、１１…検出光学系、１５…検出器、１６…解析装置、２３…観測領域、３０…判定装置、３１…画像特徴抽出部、３２…画像分類部、３３…判定・学習部。
【図１】
2004301729.tif 000003
【図２】
2004301729.tif 000004
【図３】
2004301729.tif 000005
【図４】
2004301729.tif 000006
【図５】
2004301729.tif 000007
【図６】
2004301729.tif 000008